(57)【要約】【課題】撮影した被写体の情報を、画像とともにネットワークに配信することで、利便性の高い画像通信装置及び画像通信システムを提供することを目的とする。【解決手段】画像データ生成手段１０３、１０４は、被写体を撮影して被写体を示す画像データを生成すると共に、識別データ受信手段１０５は、被写体に設けられた情報記憶媒体から被写体を識別自在な識別データを受信する。データ関連手段１０７は、受信した識別データと生成された画像データとを関連付けて、データ送信手段１０１、１０２は、関連付けされた識別データ及び画像データをネットワークへ送信する。これにより、単なる画像のみならず、その画像に映し出されている被写体の識別データを併せてネットワークに配信することが出来る。【選択図】図１
2006031419.tif 000002
【特許請求の範囲】
【請求項１】
被写体を撮影して該被写体を示す画像データを生成する画像データ生成手段と、
前記被写体に設けられた情報記憶媒体から当該被写体を識別自在な識別データを受信する識別データ受信手段と、
前記識別データ受信手段が受信した識別データと前記画像データ生成手段により生成された画像データとを関連付けるデータ関連手段と、
前記データ関連手段により関連付けされた識別データ及び画像データをネットワークへ送信するデータ送信手段とを有する、
ことを特徴とする画像通信装置。
【請求項２】
前記情報記憶媒体は、ＲＦＩＤタグである、
ことを特徴とする請求項１記載の画像通信装置。
【請求項３】
画像通信装置と、ネットワークを介して前記画像通信装置と接続自在なサーバと、を備えた画像通信システムであって、
前記画像通信装置は、
被写体を撮影して該被写体を示す画像データを生成する画像データ生成手段と、
前記被写体に設けられた情報記憶媒体から当該被写体を識別自在な識別データを受信する識別データ受信手段と、
前記識別データ受信手段が受信した識別データと前記画像データ生成手段により生成された画像データとを関連付けるデータ関連手段と、
前記データ関連手段により関連付けられた識別データ及び画像データを、前記ネットワークを介して第１のサーバに送信するデータ送信手段とを有し、
前記第１のサーバは、
前記画像通信装置から送信された識別データ及び画像データに基づいてウェブページを生成するウェブページ生成手段を有する、
ことを特徴とする画像通信システム。
【請求項４】
前記被写体に関する被写体情報を蓄積した第２のサーバを備え、
前記第１のサーバは、更に、前記画像通信装置から送信された識別データが示す被写体に関する被写体情報を、前記第２のサーバから取得する被写体情報取得手段を有し、
前記第１のサーバのウェブページ生成手段は、前記被写体情報取得手段により取得された被写体情報と前記画像通信装置から送信された画像データとに基づいて、前記ウェブページを生成する、
ことを特徴とする請求項３記載の画像通信システム。
【請求項５】
前記第１のサーバのウェブページ生成手段は、前記被写体情報取得手段により取得された被写体情報が示す被写体についての他のウェブページへのリンクが張られた、前記ウェブページを生成する、
ことを特徴とする請求項４記載の画像通信システム。
【請求項６】
前記第１のサーバは、更に、
前記画像通信装置から送信された識別データ及び画像データを、画像情報として蓄積する画像情報蓄積手段と、
所定の前記画像情報を示す検索キーワードを受け付ける検索キーワード受付手段と、
前記検索キーワード受付手段が受け付けた検索キーワードに対応する画像情報を、前記画像情報蓄積手段により蓄積された画像情報から抽出する画像情報抽出手段とを有し、
前記第１のサーバのウェブページ生成手段は、前記画像情報抽出手段により抽出された画像情報に基づいてウェブページを生成する、
ことを特徴とする請求項３記載の画像通信システム。
【請求項７】
前記情報記憶媒体は、ＲＦＩＤタグである、
ことを特徴とする請求項３記載の画像通信システム。
【発明の詳細な説明】
【技術分野】
【０００１】
本発明は、画像通信装置及びそれを用いた画像通信システムに係り、特に商品を撮影した画像データと、その商品に設けられたＲＦＩＤ（Ｒａｄｉｏ  Ｆｒｅｑｕｅｎｃｙ  Ｉｄｅｎｔｉｆｉｃａｔｉｏｎ）タグから取得した商品情報とをウェブページから参照可能とする技術に関する。
【背景技術】
【０００２】
近年、インターネットの爆発的な普及に伴い、パーソナルコンピュータ（以下、ＰＣと称す。）だけでなく、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）ネットワークスタックを備えたデジタルカメラなどの非ＰＣ機器がインターネットに接続することが可能である。なかでも、撮影した画像データをＩＰネットワークに配信できるネットワークカメラと呼ばれるネットワークへ通信可能なデジタルカメラが増えている。
【０００３】
以下に、従来のネットワークカメラを用いたホームネットワーク遠隔管理システムについて説明する。
【０００４】
図９は、従来のネットワークカメラへのインターネットを介した接続形態を示した図である。図９に示すように、２０１はウェブサーバを実装したネットワークカメラ、２０２はインターネットに接続するＰＣ、２０３はインターネットに接続する機能、並びにブラウザ（閲覧）ソフトウェアを内蔵した携帯電話機である。
【０００５】
このような従来のネットワークカメラ装置において、インターネット上のＰＣ２０２、携帯電話機２０３がネットワークカメラ２０１のウェブサーバにアクセスし、必要であればユーザ認証を行うために、ネットワークカメラ２０１にログインをし、ネットワークカメラ２０１が撮影した画像データを閲覧する。図１０は、従来のＰＣ２０２のブラウザがネットワークカメラ２０１のウェブサーバにアクセスした際の表示イメージを示した図である。
【０００６】
ウェブサーバを実装したネットワークカメラの自動撮影システムに関しては、特定のユーザに対してユーザが携帯する無線タグを利用して自動的に撮影を行い、撮影した画像データをユーザに提供する自動撮影システムがある（例えば、特許文献１参照）。
【０００７】
また、改良を加えた監視カメラシステムを非接触方式のＩＣ（Ｉｎｔｅｇｒａｔｅｄ  Ｃｉｒｃｕｉｔ）カードシステムと融合させることにより、撮影時刻情報をキーにしてデータベースから必要な画像情報を容易且つ迅速に検索できるＩＣカード管理システムもある（例えば、特許文献２参照）。
【特許文献１】特開２００３−１１６１２７号公報
【特許文献２】特開２００１−１６７３０６号公報
【発明の開示】
【発明が解決しようとする課題】
【０００８】
しかしながら、上述した、自動撮影システムやＩＣカード管理システムでは、カメラが撮影する画像データをネットワーク経由に閲覧することはできても、それは飽くまでリアルタイムにしか閲覧できず、撮影した画像データを蓄積し、その蓄積した画像データをネットワークカメラの閲覧と同じような容易性をもって閲覧することが困難であった。
【０００９】
また、従来のネットワークカメラが提供するコンテンツは画像そのものだけで、高解像の画像であっても、例えばモデルが着用している商品のブランド、品名など、そこに映し出されている物についての詳細な商品の情報を得ることができない不都合があった。
【００１０】
本発明は上記従来の問題点を解決するもので、撮影した被写体の情報を、画像とともにネットワークを介して閲覧することで、利便性の高い画像通信装置及びそれを用いた画像通信システムを提供することを目的とする。
【課題を解決するための手段】
【００１１】
本発明は、情報記憶媒体から受信した識別データと、被写体を撮影して生成した画像データとを関連付け、これら識別データ及び画像データをネットワークへ送信することを特徴とする。
【発明の効果】
【００１２】
本発明の画像通信装置は、画像撮影を行うと同時に、撮影された画像に映し出されている被写体に設けられた情報記憶媒体から識別データを読み取り、単なる画像のみならず、その画像に映し出されている被写体の識別データを併せてネットワークに配信することが出来る。
【発明を実施するための最良の形態】
【００１３】
上記課題を解決するためになされた第１の発明は、被写体（例えばＧＤ）を撮影して被写体を示す画像データを生成する画像データ生成手段（１０３、１０４）と、
被写体（ＧＤ）に設けられた情報記憶媒体（例えばＲＦＩＤタグ）から被写体を識別自在な識別データ（例えばＲＦＩＤデータ）を受信する識別データ受信手段（１０５）と、
識別データ受信手段（１０５）が受信した識別データと画像データ生成手段（１０３、１０４）により生成された画像データとを関連付けるデータ関連手段（１０７）と、
データ関連手段（１０７）により関連付けされた識別データ及び画像データをネットワーク（例えば４０５）へ送信するデータ送信手段（１０１、１０２）とを有することを特徴とする。
【００１４】
この構成により、画像撮影を行うと同時に、撮影された画像に映し出されている被写体に設けられた情報記憶媒体から識別データを読み取り、単なる画像のみならず、その画像に映し出されている被写体の識別データを併せてネットワークに配信することが出来る。
【００１５】
上記課題を解決するためになされた第２の発明は、情報記憶媒体は、ＲＦＩＤタグであることを特徴とする。
【００１６】
この構成により、ＲＦＩＤタグからＲＦＩＤ情報を読み取り、画像に映し出されている被写体のＲＦＩＤ情報を併せてネットワークに配信することが出来る。
【００１７】
上記課題を解決するためになされた第３の発明は、画像通信装置と、ネットワーク（例えば４０５）を介して画像通信装置と接続自在なサーバと、を備えた画像通信システムであって、
画像通信装置（４０１）は、
被写体（例えばＧＤ）を撮影して被写体を示す画像データを生成する画像データ生成手段（１０３、１０４）と、
被写体（ＧＤ）に設けられた情報記憶媒体（例えばＲＦＩＤタグ）から当該被写体を識別自在な識別データ（例えばＲＦＩＤデータ）を受信する識別データ受信手段（１０５）と、
識別データ受信手段（１０５）が受信した識別データと画像データ生成手段（１０３、
１０４）により生成された画像データとを関連付けるデータ関連手段（１０７）と、
データ関連手段（１０７）により関連付けられた識別データ及び画像データを、ネットワーク（例えば４０５）を介して第１のサーバ（例えば６０１、７０１、９０１）に送信するデータ送信手段とを有し、
第１のサーバ（６０１、７０１、９０１）は、
画像通信装置（４０１）から送信された識別データ及び画像データに基づいてウェブページ（例えば６０５、７０６、９０７）を生成するウェブページ生成手段を有することを特徴とする。
【００１８】
この構成により、画像に映し出されている被写体の識別データを併せて、ウェブページに表示することが出来る。
【００１９】
上記課題を解決するためになされた第４の発明は、被写体（ＧＤ）に関する被写体情報（例えば商品情報）を蓄積した第２のサーバ（例えば６０４、７０４、９０４）を備え、
第１のサーバ（６０１、７０１、９０１）は、更に、画像通信装置（４０１）から送信された識別データが示す被写体（ＧＤ）に関する被写体情報を、第２のサーバ（６０４、７０４、９０４）から取得する被写体情報取得手段を有し、
第１のサーバ（６０１、７０１、９０１）のウェブページ生成手段は、被写体情報取得手段により取得された被写体情報と画像通信装置（４０１）から送信された画像データとに基づいて、ウェブページ（６０５、７０６、９０７）を生成することを特徴とする。
【００２０】
この構成により、画像通信装置のメモリ容量に制限されることなく、情報を重畳した画像を蓄積することが出来る。
【００２１】
上記課題を解決するためになされた第５の発明は、第１のサーバ（９０１）のウェブページ生成手段は、被写体情報取得手段により取得された被写体情報（例えば商品情報）が示す被写体（ＧＤ）についての他のウェブページ（例えば１０００）へのリンクが張られた、ウェブページ（９０７）を生成することを特徴とする。
【００２２】
この構成により、画像情報から得られる商品情報へのアクセスを容易にし、商品の購買を促し、また画像管理サーバの運営元へのアフェリエイトポイントの還元をもたらすことが出来る。
【００２３】
上記課題を解決するためになされた第６の発明は、第１のサーバ（７０１）は、更に、
画像通信装置から送信された識別データ及び画像データを、画像情報として蓄積する画像情報蓄積手段（７０２）と、
所定の画像情報を示す検索キーワードを受け付ける検索キーワード受付手段と、
検索キーワード受付手段が受け付けた検索キーワードに対応する画像情報を、画像情報蓄積手段（７０２）により蓄積された画像情報から抽出する画像情報抽出手段とを有し、
第１のサーバ（７０１）のウェブページ生成手段は、画像情報抽出手段により抽出された画像情報に基づいてウェブページ（７０６）を生成することを特徴とする。
【００２４】
この構成により、適切なアクセス制御の元でユーザが必要とする画像情報を容易に得ることを可能にする。
【００２５】
上記課題を解決するためになされた第７の発明は、情報記憶媒体は、ＲＦＩＤタグであることを特徴とする。
【００２６】
この構成により、画像に映し出されている被写体のＲＦＩＤ情報を併せて、ウェブページに表示することが出来る。
【００２７】
なお、括弧内の番号などは、本発明の理解を助けるために、図面における対応する要素を便宜的に示すものである。従って、本記述は図面上の記載に限定拘束されるものではなく、本発明をこの符号の記載により解釈すべきではない。
【００２８】
以下、本発明の実施の形態について、図１ないし図９を沿って説明する。
【００２９】
（実施の形態１）
本発明の実施の形態１について、図１から図３を参照しながら説明する。本実施の形態１は、ネットワークカメラがＲＦＩＤリーダを内蔵することで、撮影した画像の商品のＲＦＩＤタグ情報を取得し、この取得したＲＦＩＤタグ情報と撮影した画像とを対応させて画像情報としてインターネットに配信可能とすることを特徴としている。
【００３０】
図１は、本発明の実施の形態１におけるネットワークカメラの構成を示した図である。１０１はイーサネット（登録商標）、電話線、電力線、あるいは無線などの通信手段に接続する通信インタフェース部、１０２はネットワークカメラが接続するネットワークに対するルーティング機能を有する通信制御部、１０３は画像を撮影して画像データとするカメラ部、１０４はカメラ部１０３が撮影した画像データを処理する画像処理部、１０５はＲＦＩＤタグ情報を読み取るＲＦＩＤリーダ、１０６はネットワークカメラの設定情報、画像データやＲＦＩＤタグ情報などを記録するメモリ、１０７は画像データやＲＦＩＤタグ情報、通信情報の処理や、ウェブサーバを実装する管理部、そして１０８は通信制御部１０２、画像処理部１０４、ＲＦＩＤリーダ１０５、メモリ１０６、管理部１０７が接続するバスである。
【００３１】
ネットワークカメラが、画像データとＲＦＩＤタグ情報を配信する手順について図２を用いて説明する。図２は本発明の実施の形態１におけるネットワークカメラが接続するネットワーク構成を示した図である。図２において、４０１はＲＦＩＤリーダを内蔵した本発明の実施の形態１のネットワークカメラ、４０２はネットワークカメラ４０１に撮影されるモデル、４０３はＰＣ、４０４は画像管理サーバであるＡＳＰ（Ａｐｐｌｉｃａｔｉｏｎ  Ｓｅｒｖｉｃｅ  Ｐｒｏｖｉｄｅｒ）サーバ、そして４０５はネットワークカメラ４０１、ＰＣ４０３、そしてＡＳＰサーバ４０４が接続するネットワークの一例であるインターネットである。
【００３２】
ＰＣ４０３のユーザは、ネットワークカメラ４０１にアクセスする際には、ＡＳＰサーバ４０４にログイン認証を得ることで、アクセスが可能となる。
【００３３】
図３は、ＰＣ４０３がネットワークカメラ４０１にアクセスした際に、ＰＣ４０３のブラウザに表示される情報のイメージを示した図である。図３に示されるように、ネットワークカメラ４０１のウェブサーバにアクセスすると、ネットワークカメラ４０１が撮影している画像データを、予め管理部１０７に格納された通信情報として登録しておいたＡＳＰサーバ４０４のアドレス宛に送信するインタフェースであるＡＳＰ送信ボタンＳＢがブラウザ上に表示される。
【００３４】
ＰＣ４０３のユーザがそのブラウザ上に表示されたインタフェースとなるＡＳＰ送信ボタンＳＢをマウスなどのポインティングデバイスで押下すると、ネットワークカメラ４０１は、カメラ部１０３で撮影した画像に加え、商品ＧＤに設けられているＲＦＩＤタグ（不図示）からＲＦＩＤ情報をＲＦＩＤリーダ１０５により収集する。管理部１０７は、画像とＲＦＩＤタグ情報とを対応付け画像情報とする。そして、通信インタフェース部１０１は、この画像情報をＡＳＰサーバ４０４に送信する。
【００３５】
画像データと、この画像データに対応付けられたＲＦＩＤタグ情報とがＡＳＰサーバ４０４へ送信されることで、情報が付加された画像データの収集を行うことができ、ＲＦＩＤタグ情報と画像データとをインターネットに配信することが可能となる。
【００３６】
（実施の形態２）
以下、本発明の実施の形態２に係る画像通信システムについて、図４を参照しながら説明する。本実施の形態２の画像通信システムは、画像データに、同時に収集したＲＦＩＤタグ情報を付加してウェブページを作成し、ユーザに提供することにある。図４は、本発明の実施の形態２における画像通信システムを説明する図である。なお、図４において、ネットワークカメラ４０１と、ＰＣ４０３は図２に示すものと同じ構成なので同符号を付して説明は省略する。
【００３７】
図４において、６０１はネットワークカメラ４０１から送信された画像データと画像データに映し出されている商品のＲＦＩＤタグ情報とを蓄積する画像管理サーバであるＡＳＰサーバ、６０３はＲＦＩＤタグ情報が示す商品情報の照会先を格納する商品問い合わせサーバであるＯＮＳ（Ｏｂｊｅｃｔ  Ｎａｍｅ  Ｓｅｒｖｉｃｅ）サーバ、６０４は商品情報を格納する商品情報蓄積サーバであるＰＭＬ（Ｐｈｙｓｉｃａｌ  Ｍａｒｋｕｐ  Ｌａｎｇｕａｇｅ）サーバ、そして６０５はＡＳＰサーバ６０１により作成され、ＰＣ４０３に送信されるＨＴＭＬ（Ｈｙｐｅｒ  Ｔｅｘｔ  Ｍａｒｋｕｐ  Ｌａｎｇｕａｇｅ）ファイルである。
【００３８】
このように構成される本発明の実施の形態２に係る画像通信システムの動作を図４に基づいて説明する。
【００３９】
まず、ＰＣ４０３を使用するユーザは、インターネットを経由してＡＳＰサーバ６０１にログインし、ネットワークカメラ４０１から送信した画像データを要求する。
【００４０】
それに対してＡＳＰサーバ６０１は、要求された画像データに付加されたＲＦＩＤタグ情報と商品名を組み合わせるため、ＯＮＳサーバ６０３にそれぞれの商品のＲＦＩＤタグ情報のＩＤの問合せ先を照会する。
【００４１】
そしてＡＳＰサーバ６０１は、ＯＮＳサーバ６０３から知らされた問合せ先となるＰＭＬサーバ６０４に対して商品情報の問い合わせを行い、ＰＭＬサーバ６０４から商品情報を取得する。
【００４２】
以上の処理をＡＳＰサーバ６０１は、画像データに付加されたすべてのＲＦＩＤタグ情報について行い、それぞれの商品のＩＤに対応する商品情報を求め、画像データと対応付けることで、画像データと商品情報を組み合わせたＨＴＭＬファイル６０５を作成し、ＰＣ４０３に送信する。こうすることで、ＡＳＰサーバに蓄積した画像データと、この画像データに対応付けたＲＦＩＤタグ情報から取得した商品情報をＰＣから閲覧することができる。
【００４３】
（実施の形態３）
以下、本発明の実施の形態３について、図５及び図６を参照しながら説明する。本実施の形態３の画像通信システムは、ＡＳＰサーバが蓄積するＲＦＩＤタグ情報に対応する商品情報についてデータベースを作成し、画像中の情報を検索できることを特徴としている。
【００４４】
図５は、本発明の実施の形態３における画像通信システムを説明する図である。なお、図５において、ネットワークカメラ４０１と、ＰＣ４０３は図２に示すものと同じ構成な
ので同符号を付して説明は省略する。
【００４５】
図５において、７０１はネットワークカメラ４０１から送信された画像データと、その画像データに映し出されている商品のＲＦＩＤタグ情報とを蓄積する画像管理サーバであるＡＳＰサーバ、７０２は画像管理サーバであるＡＳＰサーバ７０１において構築されるＲＦＩＤタグ情報データベース、７０３は商品問い合わせサーバであるＯＮＳサーバ、７０４は商品情報蓄積サーバであるＰＭＬサーバ、そして７０６はＡＳＰサーバ７０１が作成してＰＣ４０３による検索結果を作成してＰＣ４０３に送信するＨＴＭＬファイルである。
【００４６】
このように構成される本発明の実施の形態３に係る画像通信システムの動作を図５に基づいて説明する。
【００４７】
ＡＳＰサーバ７０１は、ネットワークカメラ４０１から送信された画像データ及びＲＦＩＤタグ情報を受信するたびに、その画像データに付加されているすべてのＲＦＩＤタグ情報についてＯＮＳサーバ７０３、ＰＭＬサーバ７０４に照会を行い、対応する商品名を求め、それらを蓄積したＲＦＩＤタグ情報データベース７０２を構築する。
【００４８】
ＡＳＰサーバ７０１は、ＡＳＰサーバ７０１にログインしたＰＣ４０３に対してキーワードを検索できるインタフェースをブラウザ上に提供する。そしてＡＳＰサーバ７０１は、ＰＣ４０３を利用するユーザが検索したキーワードに合致する商品を含む画像データからなるＨＴＭＬファイル７０６を、ＲＦＩＤタグ情報データベース７０２を参照して作成し、ＰＣ４０３に送信する。
【００４９】
図６は、本発明の実施の形態３においてＡＳＰサーバ７０１が作成したＨＴＭＬファイルの詳細を示した図である。図５及び図６において、８０１は、ＡＳＰサーバ７０１が入力したキーワードでＡＳＰサーバ７０１内のデータベース７０２を検索した結果作成されるＨＴＭＬファイル、８０２はＨＴＭＬファイル８０１における画像のいずれかをクリックした場合に表示されるＨＴＭＬファイルである。
【００５０】
このようにＡＳＰサーバ７０１にログインしたユーザは、キーワードに合致する画像情報一覧を閲覧でき、更にその画像に映し出されている他の商品情報一覧についての情報を取得できる画像通信システムを実現できる。
【００５１】
（実施の形態４）
以下、本発明の実施の形態４について、図７及び図８を参照しながら説明する。本実施の形態４の画像通信システムは、ＡＳＰサーバに蓄積した画像データと対応付けられた商品情報をウェブに表示する際に、該当商品を購入できるショッピングサイトへのリンクを提供するところである。
【００５２】
図７は、本発明の実施の形態４における画像通信システムを説明する図である。なお、図７において、ネットワークカメラ４０１と、ＰＣ４０３は図２に示すものと同じ構成なので同符号を付して説明は省略する。
【００５３】
図７において、９０１はネットワークカメラ４０１から送信された画像データと、その画像データに映し出されている商品のＲＦＩＤタグ情報とを蓄積する画像管理サーバであるＡＳＰサーバ、９０２はＡＳＰサーバ９０１において構築されるＲＦＩＤタグ情報データベース、９０３は商品問い合わせサーバであるＯＮＳサーバ、９０４は商品情報蓄積サーバであるＰＭＬサーバ、９０６は各種商品を直接販売する、もしくはその商品の購入に関する情報を提供するショッピングサイト、そして９０７はＡＳＰサーバ９０１が作成し
てＰＣ４０３に送信するＨＴＭＬファイルである。
【００５４】
このように構成される本発明の実施の形態４に係る画像通信システムの動作を図７及び図８に基づいて説明する。
【００５５】
ＡＳＰサーバ９０１は、ネットワークカメラ４０１から送信された画像情報を受信するたびに、その画像データに付加されているすべてのＲＦＩＤタグ情報についてＯＮＳサーバ９０３、ＰＭＬサーバ９０４に照会を行い、対応する商品名を求め、そしてその商品名についてショッピングサイト９０６に問い合わせ、その商品を購入できる、もしくはその商品の購入に関する情報を提供するＵＲＬ（Ｕｎｉｆｏｒｍ  Ｒｅｓｏｕｒｃｅ  Ｌｏｃａｔｏｒ）を求め、ＲＦＩＤタグ情報、商品名、ＵＲＬを対応させてデータベース９０２を構築する。
【００５６】
ＡＳＰサーバ９０１は、ＡＳＰサーバ９０１にログインしたＰＣ４０３がブラウザを用いて選択した画像について、その画像に映し出されている商品名にその商品を直接購入できる、もしくは商品の購入に関する情報を入手できるＵＲＬへのリンクを付加したＨＴＭＬファイル９０７を作成し、ＰＣ４０３に送信するものである。
【００５７】
図８は、本発明の実施の形態４の画像通信システムにおけるＡＳＰサーバ９０１がＰＣ４０３のブラウザ上に表示する画像情報のＨＴＭＬファイルを示した図である。
【００５８】
図７及び図８において、９０７はＡＳＰサーバ９０１にログインしたユーザに表示する蓄積した画像とそこに映し出されている商品情報を組にしたＨＴＭＬファイル、１０００はＨＴＭＬファイル９０７において商品名に付加したリンクをクリックすることで表示されるＨＴＭＬファイル（ウェブページ）である。ＡＳＰサーバ９０１は、ＨＴＭＬファイル９０７を作成する際に、単なる商品情報だけではなく、その商品を直接購入できる、もしくは商品の購入に関する情報を入手できるウェブ上のショッピングサイトにおけるページにリンクする。そしてユーザがＨＴＭＬファイル９０７における商品名をクリックすれば、ＨＴＭＬファイル１０００が表示される。このようにすることで、ユーザはＡＳＰサーバ９０１から提供されるＨＴＭＬファイルにおける画像を見て気に入った商品があればすぐその商品を簡単に購入することができ、またＡＳＰサーバ９０１もショッピングサイトとのアフェリエイト契約による収入を獲得できる。
【００５９】
なお、上述した実施の形態１ないし４において、ＲＦＩＤタグ情報の一例として商品情報を示したが、被写体を識別自在な情報であれば、これに限る必要はない。例えば、人物に関する情報をＲＦＩＤ情報として、ＲＦＩＤタグに格納させ、その人物を撮影する際に、上述と同様に画像データに当該ＲＦＩＤ情報を関連付けるようにしてもよい。
【００６０】
なお、上述した実施の形態１ないし４において、情報記憶媒体の一例としてＲＦＩＤタグを示したが、画像通信装置が被写体の識別データを非接触で受信することが出来るものであれば、特にこれに限る必要はない。また、本発明は「ＲＦＩＤタグ」の名称に限定されることなく、無線ＩＣ（Ｉｎｔｅｇｒａｔｅｄ  Ｃｉｒｃｕｉｔ）、IＣタグ（Ｉｎｔｅｇｒａｔｅｄ  Ｃｉｒｃｕｉｔ  タグ）、電子タグ、無線タグ、非接触タグについても、同様に本発明を適用することが出来る。
【産業上の利用可能性】
【００６１】
本発明は、商品を撮影した画像データと、その商品の商品情報とをウェブページから参照可能とすることができるので、インターネットを利用したネットワークカメラ及び画像通信システムに好適である。
【図面の簡単な説明】
【００６２】
【図１】本発明の実施の形態１におけるネットワークカメラの構成を示した図
【図２】本発明の実施の形態１におけるネットワークカメラが接続するネットワーク構成を示した図
【図３】パーソナルコンピュータのブラウザに表示される情報のイメージを示した図
【図４】本発明の実施の形態２における画像通信システムを説明する図
【図５】本発明の実施の形態３に係る画像通信システムを説明する図
【図６】本発明の実施の形態３においてＡＳＰサーバが作成したＨＴＭＬファイルの詳細を示した図
【図７】本発明の実施の形態４における画像通信システムを説明する図
【図８】パーソナルコンピュータのブラウザ上に表示する画像情報のＨＴＭＬファイルを示した図
【図９】従来のネットワークカメラへのインターネットを介した接続形態を示した図
【図１０】パーソナルコンピュータのブラウザが従来のネットワークカメラのウェブサーバにアクセスした際の表示イメージを示した図
【符号の説明】
【００６３】
１０１    ネットワークカメラの通信インタフェース部（データ送信手段）
１０２    ネットワークカメラの通信制御部（データ送信手段）
１０３    ネットワークカメラのカメラ部（画像データ生成手段）
１０４    ネットワークカメラの画像処理部（画像データ生成手段）
１０５    ネットワークカメラのＲＦＩＤリーダ（識別データ受信手段）
１０７    ネットワークカメラの管理部（データ関連手段）
４０１    ネットワークカメラ（画像通信装置）
４０５    インターネット（ネットワーク）
６０１、７０１、９０１    ＡＳＰサーバ（第１のサーバ）
６０４、７０４、９０４    ＰＭＬサーバ（第２のサーバ）
６０５、７０６、９０７    ＨＴＭＬファイル（ウェブページ）
７０２    ＲＦＩＤタグ情報データベース（画像情報蓄積手段）
１０００    ＨＴＭＬファイル（他のウェブページ）
ＧＤ    商品（被写体）
【図１】
2006031419.tif 000003
【図２】
2006031419.tif 000004
【図３】
2006031419.tif 000005
【図４】
2006031419.tif 000006
【図５】
2006031419.tif 000007
【図６】
2006031419.tif 000008
【図７】
2006031419.tif 000009
【図８】
2006031419.tif 000010
【図９】
2006031419.tif 000011
【図１０】
2006031419.tif 000012